(57)【要約】  低温保存デバイス用の回収組立体（２２）は：−少なくとも部分的に冷却剤（１２）で充填された低温保存容器（１６）のアクセス開口部（４２）に回収組立体を取り付けるための支持体（２６）と、−少なくとも１つの保護気体の流れ（３４）を形成して容器からの冷却剤の流出を低減する、少なくとも１つの流路（３２）とを含む。回収組立体は、円錐形の漏斗部（２４）を含むことが好ましい。流路は、たとえば吸込送風機と連結され、それにより、螺旋状に集束する（たとえばサイクロン型の）保護気体の流れが生成される。こうして、アクセス開口部を通って流出する蒸発冷却剤を、保護気体の流れによって加速し、従わせる。冷却剤の液体粒子は、それに応じて加速され、漏斗部の内向きの壁に当たり、したがって収集することができる。
2016534310.tif 000002
【特許請求の範囲】
【請求項１】
低温保存デバイス用の回収組立体であって：
−少なくとも部分的に冷却剤（１２）で充填された低温保存容器（１６）のアクセス開口部（４２）に該回収組立体を取り付けるための支持体（２６）と、
−少なくとも１つの保護気体の流れ（３４；７０、７２）を形成して容器（１６）からの冷却剤（１２）の流出を低減する、少なくとも１つの流路（３２；７４、７６）と
を含む前記回収組立体。
【請求項２】
支持体（２６）に向かって集束する少なくとも１つの円錐形の漏斗部（２４；５２）をさらに含む、請求項１に記載の回収組立体。
【請求項３】
冷却剤（１２）が貫通可能であり、かつ漏斗部（２４；５２）の下流に配置されたフィルタ（３０）をさらに含む、請求項２に記載の回収組立体。
【請求項４】
少なくとも試験片（１８）を、容器（１６）からアクセス開口部（４２）を通して取り出すための取り出し組立体をさらに含む、請求項１〜３のいずれか１項に記載の回収組立体。
【請求項５】
取り出し組立体は、漏斗部（２４）の上端より上に位置する引張デバイス（２０、３６）を支持するために、漏斗部（２４）を通って延びる少なくとも１つの柱状体（４４）を含む、請求項４に記載の回収組立体。
【請求項６】
取り出し組立体は、試験片ホルダ（１８）を支持体（２６）のオリフィス（４６）より上で傾斜した配置に支持するために、漏斗部（５２）の上端から、漏斗部（５２）の傾いた内側の側壁部（５４）に対して斜め向かいに延びるさらなる支持体（５６）を含む、請求項４または５に記載の回収組立体。
【請求項７】
流路（３２）は、漏斗部（２４；５２）の内向きの壁と流体連通する、請求項２〜６のいずれか１項に記載の回収組立体。
【請求項８】
流路（３２）は、漏斗部（２４）の集束した下端の周縁のまわりで接線方向に延び、漏斗部（２４；５２）の内側にサイクロン様の保護気体の流れ（３４）を発生させる、請求項１〜７のいずれか１項に記載の回収組立体。
【請求項９】
少なくとも１つの流路（７４、７６）が漏斗部（５２）の上側の遠位端のまわりに延びる、請求項１〜６のいずれか１項に記載の回収組立体。
【請求項１０】
少なくとも１つの流路（７４、７６）は、実質的に軸方向を向いた保護気体の流れ（７０、７２）を発生させるために、上側の遠位方向に延びる、または半径方向内側に延びる少なくとも１つのスリット様の出口（８２）を含む、請求項９に記載の回収組立体。
【請求項１１】
互いに反対方向を向き、半径方向に分離された第１および第２の保護気体の流れ（７０、７２）を発生させるために、第２の流路（７４）によって半径方向に囲まれた第１の流路（７６）を含む、請求項９または１０に記載の回収組立体。
【請求項１２】
第１の流路（７６）は吸込送風機（８１）と流れ連通し、第２の流路（７４）は温風送風機（７９）と流れ連通する、請求項９〜１１のいずれか１項に記載の回収組立体。
【請求項１３】
少なくとも１つの試験片を収納するための低温保存デバイスであって：
−遠位の上端にアクセス開口部（４２）を含む、液体冷却剤（１２）を収容する容器（１６）と、
−支持体（２６）を介してアクセス開口部（４２）に取り付けられる、請求項１〜１２のいずれか１項に記載の回収組立体（２２）と
を含む前記低温保存デバイス。
【請求項１４】
回収組立体（２２）は、アクセス開口部（４２）に着脱可能に取り付けられる、請求項１３に記載の低温保存デバイス。
【発明の詳細な説明】
【技術分野】
【０００１】
本発明は、低温試料（ｃｒｙｏｓａｍｐｌｅ）の低温保存（ｃｒｙｏｐｒｅｓｅｒｖａｔｉｏｎ）に有用な冷却剤の消費および損失を低減するための回収組立体（ｒｅｃｏｖｅｒｙ  ａｓｓｅｍｂｌｙ）、ならびに低温保存デバイスに関する。したがって、本発明は、低温試料を処理または検査するため、および低温試料を試料容器に入れるまたは試料容器から取り出すための組立体ならびにそれぞれのデバイスに関する。
【背景技術】
【０００２】
生物学、薬理学、医学およびバイオテクノロジーの分野では、たとえば生物物質の試料を、液体窒素の温度、すなわち−１９６℃で試料物質の活性を維持しながら凍結することが広く知られている。凍結予定の、低温試料として計画された試料は、通常は試料容器に収納されて運ばれる。低温タンクとも表記されるそうした試料容器は、通常は液体窒素で充填される。さらに、そうした容器は断熱され、いわゆるデュワー容器に似ているか、またはデュワー容器を含む。
【０００３】
試料のそうした容器への挿入、またはそうした容器からの取り出しもしくは除去は、危険である場合がある。特に充填された試料容器から試料を除去するときまたは取り出すときには、無視できない量の窒素が漏れる、あるいはかなり無制御な形で容器を出る可能性がある。冷却剤が漏れて無駄になるだけではなく、周囲の空気が気体窒素に富んだ状態になる。したがって、さらに健康状態または窒息に関してある種の危険が生じる恐れがある。
【０００４】
特許文献１は、試料および／または試料容器を扱うときに、周囲の比較的湿った空気の接触を防止する態様に関するものである。その場合、試料容器および／または試料上での氷の形成ならびにその成長が、様々な形で防止される。処理の間、試料および／または試料容器全体を受ける保護容器を提供することが提案されている。さらに、保護容器内に存在する雰囲気気体を乾燥および冷却し、かつ／または雰囲気気体を保護気体で置き換えるために、保護容器に連結される環境制御装置（ｃｌｉｍａｔｅ  ｃｏｎｔｒｏｌ  ｅｑｕｉｐｍｅｎｔ）が提供される。したがって、好ましくは保護容器の中に人工的な雰囲気が生み出され、試料および／または試料容器上での氷の形成を防止する。
【０００５】
そうした保護雰囲気を提供する技術的な装置は、かなり複雑であり、費用がかかる。
【先行技術文献】
【特許文献】
【０００６】
【特許文献１】米国特許出願公開第２００６／０１５６７５３Ａ１号
【発明の概要】
【発明が解決しようとする課題】
【０００７】
したがって、本発明の目的は、冷却剤の無制御の流出を低減および防止するための回収組立体と共に、改善された低温保存デバイスを提供することである。さらに、冷却剤の消費および消耗は、低いレベル、または少なくとも中程度のレベルに保たれるべきである。さらに、そうしたデバイスの動作上の安全性を向上させ、作業中の職員が冷却剤、たとえば液体窒素に無制御にかつ著しく曝されることを防止することを目的とする。
【課題を解決するための手段】
【０００８】
前述の課題に対する解決策を提供するために、低温保存デバイス用の回収組立体が提供される。回収組立体は、特に低温保存デバイスの冷却剤を回収するように適用され、動作可能である。回収組立体は、少なくとも部分的に冷却剤で充填された容器のアクセス開口部に回収組立体を取り付けるための支持体を含む。容器は、低温保存のための試料容器として設計されることが好ましい。したがって、容器は、内部に配置された液体冷却剤の恒久的な蒸発冷却を可能にするために、頂部に向かって開いたデュワー容器を含むことができる。容器は、特に低温保存容器として実装される。回収組立体は、特に容器から試料を取り出すときに冷却剤を回収するために、容器の上側のアクセス開口部に取り付けられるように適用される。
【０００９】
回収組立体は、少なくとも１つの保護気体の流れを形成して容器からの冷却剤の流出を低減するために、少なくとも１つの流路をさらに含む、または画成する。したがって、回収組立体は、保護雰囲気を提供するだけではなく、全体として冷却剤の容器からの蒸発および／または流出を阻止する保護気体の流れを生成するように動作可能である。支持体と組み合わせた少なくとも１つの流路は、容器内で冷却剤中に配置された試料をそこから取り出し、アクセス開口部を通して外に向かって変位させる間の取り出し手順に対して特に動作可能であり、有益である。少なくとも１つの流路を使用することによって、機械的なスレービング（ｓｌａｖｉｎｇ）効果を利用することが可能になり、それによって、冷却剤に富んだ空気を機械的に処理し、たとえば加速し、冷却剤を解放および回収する。一般に、回収組立体は、他の方法では容器から環境に向かって流出することになるある量の冷却剤を回収する水力学的または流体力学的な手法を実現する。こうして、冷却剤の消費および消耗を低減することができる。
【００１０】
容器のアクセス開口部に取り付け予定の支持体は、前記容器と機械的に係合可能であることが好ましい。特に、支持体およびアクセス開口部は、たとえばバヨネットキャップのようなポジティブ係合（ｐｏｓｉｔｉｖｅ  ｅｎｇａｇｉｎｇ）用のロッキング手段、ねじ接続部、または互いに係合するボルトと凹部の形など、互いに係合する固定手段を含む。好ましくは、支持体およびアクセス開口部は、解放可能に係合することができる。このように、回収組立体は、多様な容器と共に、特に試料容器と共に任意に使用することができる。低温試料は特定の容器に収納されるが、回収組立体は、分解すること、および他の試料容器と共に少なくとも試料をそれから取り出すように使用することが可能である。したがって、ただ１つの回収組立体を、複数の試料容器と共に使用することができる。
【００１１】
好ましい実施形態において、回収組立体は、支持体に向かって集束する少なくとも１つの円錐形の漏斗部を含む。したがって、回収組立体は、たとえば支持体から分岐する形で延びる円形または円形断面の漏斗を含むことができる。円錐形の漏斗部により、低温試料を取り出す過程で試料もしくはそれぞれの試験片ホルダから滴り落ちる、または流れ落ちる（ｒｉｎｓｅ  ｄｏｗｎ）可能性がある過剰な冷却剤を制御し、制御された形で容器の中に戻すことができる。
【００１２】
円錐形の漏斗部は、過剰な冷却剤の明確な流れ落ちおよびバックフローをもたらす。冷却剤のバックフローは、少なくとも１つの流路および保護気体の流れによってさらに助けられる。特に、保護気体の流れは、円錐形の漏斗部のまわりを円運動し、螺旋状の構造もしくは経路をたどる、または画成することができる。このように、保護気体の流れによって、取り出された低温試料から滴り落ちる可能性がある冷却剤の液滴または一部を円錐形の漏斗部に当てることができ、その結果、過剰な冷却剤は、漏斗部を流れ落ち、再び試料容器に入ることができる。
【００１３】
さらなる好ましい実施形態において、回収組立体は、冷却剤が貫通可能であり、かつ前記漏斗部の下流に配置されたフィルタも含む。フィルタによって、粒子または粒状物質を濾過することができ、したがって、粒子または粒状物質が容器に入るのを防ぐことができる。このように、試料容器およびその中に配置された冷却剤の汚染を、効果的に防止することができる。
【００１４】
さらなる実施形態によれば、回収組立体は、少なくとも試験片、たとえば低温試料を、容器からアクセス開口部を通して取り出すための取り出し組立体（ｅｘｔｒａｃｔｉｏｎ  ａｓｓｅｍｂｌｙ）も含む。通常、回収組立体の支持体および漏斗部は、少なくとも試料容器のアクセス開口部の内径と同程度の大きさである自由な内径を含む。このように、アクセス開口部の大きさは、回収組立体によって制限されない。回収組立体の取り出し組立体は、特に少なくとも１つの試験片を把持し、冷却剤から上方に、試料容器のアクセス開口部を通して引き上げるように適用される。
【００１５】
回収組立体および取り出し組立体は、解放可能に連結すること、または一体成形することができる。回収組立体と取り出し組立体を解放可能に連結することにより、回収組立体を、他の、たとえば部屋の天井に取り付け可能な、固定され動かない取り出し組立体と共に用いることができる。回収組立体と取り出し組立体を一体化した配置の場合には、回収組立体を試料容器のアクセス開口部に取り付けると、取り出し組立体の試料容器に対する適切な位置が直ちに提供される。このように、取り出し組立体の別個の位置決めおよび構成が不要になる。
【００１６】
取り出し組立体を回収組立体に取り付けるさらなる実施形態において、取り出し組立体は、漏斗部の上端より上に位置する引張デバイスを支持するために、回収組立体の漏斗部を通って延びる少なくとも１つの柱状体または同様の支持構造体を含む。引張デバイスは、可撓性のある帯環または鎖を含むことができ、それにより、試料容器内に位置する少なくとも１つの試験片を把持し、試料容器から持ち上げることができる。
【００１７】
この場合、試験片および取り出し組立体は、フックのように互いに係合する締結手段を含むことができ、それによって、試験片を持ち上げ、冷却剤から引き上げることができる。引張デバイスが漏斗部の上端より上に位置するため、少なくとも１つの試験片を前記上端より上の高さまで持ち上げることが可能であり、そこでその試験片をとらえ、たとえば過剰な液剤が下方の回収組立体の中に収集された後、横方向に変位させることができる。通常、引張デバイスは、可撓性のある帯環または鎖を、下方または側方に向かって引き離すことによって試験片を上向きに引っ張ることができるように、滑車または偏向ローラを含むことができる。
【００１８】
他の実施形態によれば、取り出し組立体は、試験片ホルダを支持体のオリフィスより上および／または試料容器のアクセス開口部より上で傾斜した配置に支持するために、漏斗部の上端から、漏斗部の傾いた内側の側壁部に対して斜め向かいに延びるさらなる支持体を含む。
【００１９】
漏斗部の傾いたまたは傾斜した内側の側壁部によって、試験片ホルダまたは試験片自体を傾斜した配置に保ち、それにより、試験片ホルダを冷却剤から持ち上げたとき、過剰な液体冷却剤が流れ、滴り落ちるのを助ける。さらなる支持体は、漏斗部の上またはその上端に、着脱可能にまたは旋回式に配置することができる。さらなる支持体は、少なくとも部分的に半径方向内側に延び、したがって、試験片または試験片ホルダは、斜め向かいの傾いた漏斗部の内側の側壁部に当接し、それによって支持される。
【００２０】
さらなる支持体および対向する位置にある内側の側壁部によって、試験片および／またはそれぞれの試験片ホルダを、支持体のオリフィスより上の明確な傾斜位置に保つことができる。こうして、回収組立体は、２工程の取り出しプロセスを実行するのに特に適したものになる。第１のプロセス工程では、試験片が冷却剤を完全に出る一段高い位置または一段高い高さに達するまで、試験片を、試料容器およびその中に含まれる液剤から簡単に持ち上げることができる。その後、漏斗部の傾いた内側の側壁部を使用すること、および半径方向内側に延びるさらなる支持体を使用することにより、特に試験片および／または試験片ホルダと共に試料容器から引き出される可能性がある過剰な液剤を回収するように、試験片を一段高い傾いた配置に保つことができる。
【００２１】
さらなる実施形態において、少なくとも保護気体の流れを形成する流路は、漏斗部の内向きの壁と流体連通する。したがって、このように流路によって生成される保護気体の流れは、漏斗部の内向きの壁に沿って伝わることができる。このように、冷却剤回収の効率をさらに高めることができる。保護気体の流れの運動エネルギー、ならびに角運動量および／または線運動量は、冷却剤の漏れて流出する部分または成分を運ぶことに適し、そのように適用される。こうして、通常は容器のアクセス開口部を通って上向きの方向に発散する蒸発した冷却剤を、漏斗部の内側の側壁に向かって方向付けることが可能になり、そこで冷却剤は凝縮し、容器の中に戻ることができる。
【００２２】
さらに好ましい態様では、流路は、漏斗部の集束した下端の周縁のまわりを接線方向に延び、漏斗部の内側にまたは漏斗部に沿って、サイクロン様の保護気体の流れを発生させる。好ましくは、流路は回収組立体のフィルタの下流に配置される。さらに流路は、回収組立体の支持体のすぐ近くに配置すること、または回収組立体の支持体に一体化することもできる。好ましくは、漏斗部の内側に沿って流れるまたは流れ込む保護気体の流れが実質的に試料容器のアクセス開口部に入らないように、流路は、フィルタと支持体の間に軸方向に配置される。流路を支持体より上に配置することによって、保護気体の試料容器内部への進入を効果的に防止することができる。
【００２３】
他の実施形態では、少なくとも１つの流路が、漏斗部の上側、したがって遠位端のまわりに延びる。この文脈において、回収組立体の遠位端とは、試料容器から最も遠い末端部を意味し、一方、反対側に配置される近位端は、試料容器の最も近くに位置し、したがって、試料容器と係合するための支持体を含むことができる。さらにこの文脈において、軸方向とは、漏斗部の対称軸を意味する。通常、試料容器内に位置するもしくは収納された、試験片または低温試料は、試料容器の内部から軸方向に引き上げられる、または持ち上げられる。
【００２４】
少なくとも１つの流路を漏斗部の上側の遠位端に配置することによって、気体カーテンもしくはエアカーテンとして働くことができる、別のまたは代替の保護気体の流れを発生させることが可能であり、それによって、まわりの空気が漏斗部および／または試料容器に進入することを効果的に防止すること、または少なくとも抑制することができる。上側の遠位端に設けられた流路は、保護気体の別のサイクロン様の流れを発生させるように動作可能にすること、または実質的に軸方向に延びるもしくは軸方向に伝わる保護気体の流れを発生させるように動作可能にすることができる。
【００２５】
さらに好ましい実施形態によれば、少なくとも１つの流路は、実質的に軸方向を向いた保護気体の流れを発生させるために、遠位方向に延びる、または半径方向内側に延びる少なくとも１つのスリット様の出口を含む。スリット様の出口は、環形のものが好ましく、したがって、漏斗部の上端または遠位端の周縁全体を囲むことができる。このように、たとえばエアカーテンとして作用する、軸方向に延びる保護気体の流れを、効果的に提供することができる。
【００２６】
さらなる実施形態では、別の、したがって第２の流路が、好ましくは漏斗部の上端に提供される。第２の流路は特に、第１の保護気体の流れの方向と反対の方向に伝わり広がる、それぞれの第２の保護気体の流れを発生させるように動作可能である。２つの反対向きの保護気体の流れにより、周囲の空気の漏斗部への進入、ならびに蒸発した冷却剤の回収組立体からの拡散、流出または漏出を、効果的に防止することまたは妨げることができる。２つの反対方向に伝わる保護気体の流れは、半径方向に分離される。この場合、第２の流路が第１の流路を完全に囲み、それぞれの入れ子状に重なった保護気体の流れを発生させる。
【００２７】
好ましくは、半径方向内側に位置する気体の流れは下向きに伝わり、半径方向外側に位置する気体の流れは反対方向、したがって上向きに伝わる。このように、蒸発した冷却剤または冷却剤に富んだエーロゾルが、吸い込まれ、軸方向下向きに方向付けられ、冷却剤の回収が改善される。
【００２８】
さらなる好ましい実施形態において、第１の流路は吸込送風機と流れ連通し、第２の流路は温風送風機と流れ連通する。好ましくは、第２の流路は半径方向外側に配置され、比較的暖かいまたは高温の空気を提供し、冷却剤用の温度バリアを生成する。さらに、吸込送風機と連結するように動作可能な第１の流路は、比較的冷たい空気を吸い込むように適用され、それにより、試料容器のアクセス開口部より上の領域またはその領域の近くで、蒸発した冷却剤の凝縮を助けることができる。
【００２９】
さらなる独立した態様では、少なくとも１つの試験片、特に低温試料を収納するように適用された低温保存デバイスも提供される。低温保存デバイスは、液体窒素などの液体冷却剤を収容する容器を含む。前記容器は、遠位の上端にアクセス開口部をさらに含む。さらに低温保存デバイスは、前述の回収組立体を含み、備えている。この場合、回収組立体は、その支持体を介してアクセス開口部に取り付けられるか、または単に前記アクセス開口部に取り付けられるように動作可能にすることができる。
【００３０】
さらなる好ましい実施形態において、回収組立体は、アクセス開口部に着脱可能に、好ましくは解放可能かつ再構成可能な形で取り付けられる。これにより、試験片または低温試料を容器に入れる、または容器から取り出すときはいつでも、回収組立体を様々な試料容器に任意に連結することが可能になる。
【００３１】
本発明の趣旨および範囲から逸脱することなく、本発明に様々な修正および変更を加えることが可能であることが、関連分野の技術者にはさらに理解されるであろう。さらに、添付の特許請求の範囲に使用される参照符号はいずれも、本発明の範囲を制限するものと解釈されないことに留意されたい。
【００３２】
以下では、図面を参照することによって、本発明の好ましい実施形態についてさらに詳しく説明する。
【図面の簡単な説明】
【００３３】
【図１】第１の実施形態による試料容器の頂部に取り付けられた回収組立体を概略的に示す図である。
【図２】回収組立体の他の実施形態を示す図である。
【図３】２つの反対向きの流路を含む回収組立体を概略的に示す図である。
【図４】頂部から見た、図３による漏斗形の回収組立体を通る断面を概略的に示す図である。
【図５】図４による流路を通る断面Ａ−Ａを示す図である。
【発明を実施するための形態】
【００３４】
図１には、回収組立体２２を備えた低温保存デバイス１０が概略的に示されている。低温保存デバイス１０は試料容器１６を含み、試料容器１６は、たとえば、通常はその上端のアクセス開口部４２を特色とするデュワー容器を含む。容器１６は、断熱された、かつ／または熱伝導しない材料で作られたデュワー型の壁構造１４を含む。容器１６は、その内部にある量の液体冷却剤１２、通常は液体窒素を収容する。
【００３５】
容器１６の内部に、試験片、たとえば低温試料１８が収納される。試験片は通常、液剤１２に完全に沈められる。容器は、その遠位端に向かって、したがって容器１６の頂部に向かって、回収組立体２２の下側の支持体２６と係合するように働く半径方向内側に延びるネック部４０を含む。回収組立体２２は円錐形の漏斗部２４を含み、漏斗部２４を、支持体２６によって解放可能に固定し、容器１６のネック部４０と係合させることができる。漏斗部２４は中空であり、近位方向、したがって下方に向かって集束する内側の側壁を含む。
【００３６】
さらに、回収組立体２２は、下流の、円錐形の漏斗部２４の下に配置された流路３２を含む。流路３２は、回収組立体２２の外周のまわりを接線方向および／または周方向に延びる。流路３２と円錐形の漏斗部２４との間の移行領域には、漏斗部２４の円錐形の内側の壁構造を洗浄する、もしくはすすぎ落とすことができる粒状物質を保持および収集するように動作可能なフィルタ３０または篩がさらに提供される。
【００３７】
フィルタ３０は、軸方向上側に延びる壁部分によって半径方向内側に範囲を定められ、壁部分は、冷却剤１２が単に半径方向および水平方向にフィルタ３０を横断して流れることを妨げるように動作可能である。したがって、半径方向内側および上側に延びる壁部分３３は、漏斗部２４の半径方向外側に位置する下端と共に、一種の環状経路を形成する。
【００３８】
少なくとも１つの流路３２が、たとえば吸込送風機（図示せず）と連結され、それにより、保護気体３４の螺旋状に集束する流れを発生させることができる。下向きに集束する漏斗組立体２４は、螺旋状に回る気体の流れ３４、たとえばサイクロン型の気体の流れの発達を助ける。こうして、容器１６のアクセス開口部４２を通って流出する蒸発冷却剤を、保護気体の流れ３４によって加速し、従わせる（ｓｌａｖｅ）ことができる。遠心力により、エーロゾル粒子または小滴のような冷却剤の液体粒子は、それに応じて加速され、円錐形の漏斗部２４の内向きの壁に当たることができる。こうして、漏斗部２４は、他の方法では試料容器１６を出る可能性がある冷却剤を蓄積および収集するように働く。
【００３９】
流路３２はまた、漏斗部２４から半径方向外側に延び、したがってフランジ２８を形成し、フランジ２８は、特に容器１６に取り付けるとき、および容器１６から取り外すとき、回収組立体２２のより適切な把持および取扱いを可能にする。
【００４０】
冷却剤１２に沈めた試験片１８を持ち上げるために、たとえば鎖２０または類似の可撓性のある帯環用の偏向輪として働く滑車３６を含む、取りし出し組立体が提供される。図１および２に示すように、試験片または試験片ホルダ１８は、たとえばその上端に、試験片１８を把持することおよび冷却剤１２から持ち上げることを可能にする、フックの形のある種の把持手段を備えることができる。図１に示すように、滑車３６は天井３８に取り付けられる。鎖２０の他方の自由端に対して、側方からの横向きの、またはさらに下向きの引張負荷をかけることによって、試験片または試験片ホルダ１８を持ち上げ、回収組立体２２の上端または上縁の高さより上に引き上げることができる。
【００４１】
試験片１８をアクセス開口部４２を通して、さらに漏斗部２４を通して持ち上げるまたは引き上げる過程では、特に試験片ホルダ１８を傾けたとき、または図１および２に示す配置と比べて傾斜した配置に保つとき、持ち上げられた試験片ホルダ１８から滴り落ちる、または流れ落ちる可能性がある過剰な冷却剤１２を、簡単に収集して試料容器１６の内部に戻すことができる。
【００４２】
図２による実施形態では、取り出し組立体は、回収組立体２２の一部として提供される。その場合、滑車３６用の支持体を提供するために、少なくとも１つ、好ましくは２つまたは３つの周方向に分散させた柱状体４４が、壁部分３３から上方に延びる。この実施形態において、取り出し組立体は、回収組立体２２と一体形成されるか、または少なくとも解放可能に連結される。回収組立体２２をその支持体２６によって試料容器１６に取り付けると、取り出し組立体は、既に使用する準備ができた構成および位置になる。したがって、図１による実施形態の場合のように、取り出し組立体を、回収組立体２２および／または試料容器１６に対して調整および位置決めする必要がない。
【００４３】
図３には、回収組立体５０が、やはり支持体２６によって試料容器１６のネック部４０に配置された漏斗部５２を含む、別の実施形態が示されている。図３による回収組立体５０は、たとえば図１および図２に示す取り出し組立体とは無関係に、ヒンジ５８によって漏斗部５２の上端に旋回式に配置されたさらなる支持体５６を含む。
【００４４】
図３にさらに示すように、試験片ホルダ１８を傾斜した配置に支持および保持するために、さらなる支持体５６は、少なくとも部分的に半径方向内側に延びるように折り曲げることができる。この場合、斜め向かいの傾いた漏斗部５２の内側の側壁部５４によって、試験片ホルダ１８の底部６６を支持することができると特に有益である。したがって、試験片ホルダ１８は、その底部６６によって前記傾いた内側の側壁部５４の上に位置決めすることができ、半径方向内側に旋回されるさらなる支持体５６にもたせかけるとき、安定的な傾斜した配置に保つことができる。
【００４５】
図３にさらに示すように、試験片ホルダは、その上端に位置する、ハンドル６４で終わるロッド６２を容易に備えることができ、それによって、試験片ホルダ１８を引き上げ、持ち上げることができる。図３に示す傾斜した配置では、過剰な液体冷却剤は液滴６８の形で滴り落ち、オリフィス４６を通って試料容器１６の中に戻ることができる。
【００４６】
さらなる支持体５６の構成とは無関係に、図３による実施形態は、互いに反対方向を向き、半径方向に分離された第１および第２の保護気体の流れ７０、７２を発生させるための２つの流路７４、７６をさらに示している。軸方向を向いた環形の保護気体の流れ７２を提供するために、半径方向外側に位置する第２の流路７４は、遠位方向６０に向かって開いていることが好ましい。第１の半径方向内側に位置する流路７６は、漏斗部５２の上側の遠位端に位置し、好ましくは半径方向内側を向いたその側壁部に向かって開く別のスリットを含む。したがって、第１の流路７６は、近位の軸方向における、したがって試料容器１６に向かう、第１の保護気体の流れ７０を吸い込むように適用される。
【００４７】
図４にさらに示すように、第１および第２の流路７６、７４は、入れ子式の構成に配置される。したがって、第１の流路７６は、第２の流路７４によって完全に囲まれ、取り巻かれる。どちらの流路７４、７６も、実質的に環形のものであり、それぞれが、保護気体の環形の実質的に軸方向を向いた流れ７０、７２を発生させるように適用される。
【００４８】
図３にさらに示すように、第１の流路７６は、第１の導管８０によって吸込送風機８１と流体連通または流れ連通する。それに応じて、第２の流路７４も、第２の導管７８によって送風機７９、好ましくは温風送風機と流れ連通する。
【００４９】
保護気体または保護空気の反対方向に伝わる流れ７０、７２は、特に回収組立体５０に対して一種のエアカーテンを提供するように適用される。
【００５０】
図４および５には、第１および第２の流路７６、７４の構造がさらに詳しく示されている。第１の流路７６は、半径方向内側に位置する、かつ／または半径方向内側を向いた出口構造８４を含み、他方の、したがって第２の流路７４は、半径方向外側に位置する、かつ／または軸方向外側を向いた出口構造８２を含む。このように、第２および第１の流路７４、７６のそれぞれの出口構造８２、８４の半径方向の離隔を実質的に最小限に抑えることができ、それは、エアカーテンの効率にとって有利である。
【００５１】
図５による断面図には、たとえば第２の流路７４の内部構造が概略的に示されている。送風機７９からの空気を、環形の流路７４の内部９６に送り込むことができる。次いで、支持された空気は、主に流路の構造全体をたどり、その結果、環状に、したがって図５による断面に垂直な接線方向に流れることができる。
【００５２】
流路７４が周方向に閉じているため、支持された空気は、半径方向内側に延びる突出部９０と、流路７４のそれぞれの輪郭部の外側に重なる部分９４との間に設けられた出口構造８２によってしか流路７４から流出することができない。
【００５３】
図５に示すように、流路７４は底部の輪郭部分８６を含み、輪郭部分８６は、湾曲した形で上側の輪郭部分８８に向かって延びる。次いで、輪郭部分８８の上右端は、半径方向内側、したがって半径方向下側に延びる突出部９０へ延びる。底部の輪郭部分８６の反対側の端部は、上方を向いた湾曲部分９２へ延び、湾曲部分９２は、その自由端に、上側の輪郭部分８８の突出部９０と実質的に重なる重複部分９４を形成する。
【００５４】
このように、流路７４の内部９６のテーパー付きの円錐形部９８が生成され、それにより、流路７４の内部９６に供給された空気を加速し、軸の遠位方向６０に正確に方向付けることができる。
【００５５】
第１の流路７６についても、同じまたは対応する内部構造が考えられる。
【符号の説明】
【００５６】
１０  低温保存デバイス
１２  冷却剤
１４  デュワー型の壁構造
１６  容器
１８  試験片ホルダ
２０  鎖
２２  回収組立体
２４  漏斗部
２６  支持体
２８  フランジ部
３０  フィルタ
３２  流路
３３  壁部分
３４  気体の流れ
３６  滑車
３８  天井
４０  ネック部
４２  アクセス開口部
４４  柱状体
４６  オリフィス
５０  回収組立体
５２  漏斗部
５４  側壁部
５６  支持体
５８  ヒンジ
６０  軸方向
６２  ロッド
６４  ハンドル
６６  底部
６８  液滴
７０  気体の流れ
７２  気体の流れ
７４  流路
７６  流路
７８  導管
７９  送風機
８０  導管
８１  送風機
８２  出口構造
８４  出口構造
８６  輪郭部分
８８  輪郭部分
９０  突出部
９２  湾曲部分
９４  重複部分
９６  内部
９８  テーパー部
【図１】
2016534310.tif 000003
【図２】
2016534310.tif 000004
【図３】
2016534310.tif 000005
【図４】
2016534310.tif 000006
【図５】
2016534310.tif 000007
【国際調査報告】
2016534310.tif 000008
2016534310.tif 000009
2016534310.tif 000010